(57)【要約】【課題】背の高い電気保温ポット等であっても収納位置が制約されることがなく、また、収納棚の中央部付近に電気保温ポット、炊飯器等を収容しても蒸気排出が確実に行えて、収容位置に制約がなく、使い勝手がよい蒸気排出ユニット付収納棚を実現させる蒸気排出ユニットを提供する。【解決手段】本蒸気排出ユニットは、ユニット本体２の内部に設けられ蒸気吸込口３Ａ、３Ｂと蒸気排気口４を連通するダクト８と、送風機１０を備え、ユニット本体２の略々全域に渡って凹状空間部５が設けられ、凹状空間部５には、ダクト８に設けられた複数の吸込口８ａ、８ｂに対向し、空間Ｓが形成されるように平面状の蒸気分散板７Ａ、７Ｂが内装され、この蒸気分散板７Ａ、７Ｂの周囲及び少なくとも凹状空間部５中央近傍には、蒸気吸込口３Ａ、３Ｂが設けられる。【選択図】  図３
2007195764.tif 000002
【特許請求の範囲】
【請求項１】
ユニット本体と、このユニット本体に設けられた蒸気吸込口と蒸気排気口を連通するダクトと、このダクトを介して前記蒸気吸込口から蒸気を吸い込み前記蒸気排気口から蒸気を排出する吸排気用の送風機とを備えた蒸気排出ユニットにおいて、
前記ユニット本体の底部には、この底部の略全域に渡って凹状空間部が設けられ、
前記凹状空間部には、前記ダクトに設けられた複数の吸込口に対向し、凹部が形成されるように略平面状の蒸気分散板が内装され、
この蒸気分散板の周囲及び少なくとも前記凹状空間部中央近傍には、前記蒸気吸込口が設けられることを特徴とする蒸気排出ユニット。
【請求項２】
前記送風機は遠心式ファンと、この遠心式ファンに内装されたモータからなることを特徴とする請求項１に記載の蒸気排出ユニット。
【請求項３】
前記蒸気分散板の表面には、前記送風機の制御をするために蒸気温度を検知する温度センサーが設けられることを特徴とする請求項１または２に記載の蒸気排出ユニット。
【請求項４】
前記送風機から吹き出される蒸気の流れと平行でケーシング部吹込口の開口端部と接する遠心式ファンの接線は、前記蒸気排気口の開口端部の内側の位置に突き当たることを特徴とする請求項１ないし３のいずれか１項に記載の蒸気排出ユニット。
【請求項５】
前記蒸気排気口の開口端部近傍の下面には、ドレン溜め凹部が設けられることを特徴とする請求項４に記載の蒸気排出ユニット。
【請求項６】
前記凹状空間部の内周には、裏面に前記送風機のファンケーシング部が存在する位置に段状空間部が形成されることを特徴とする請求項１ないし５のいずれか１項に記載の蒸気排出ユニット。
【請求項７】
前記蒸気分散板は、複数枚の蒸気分散板からなることを特徴とする請求項１ないし６のいずれか１項に記載の蒸気排出ユニット。
【請求項８】
前記ダクトに設けられた複数の吸込口は、前記送風機からより離れた吸込口の開口面積が前記送風機により近い吸込口の開口面積より大きいことを特徴とする請求項１ないし７のいずれか１項に記載の蒸気排出ユニット。
【発明の詳細な説明】
【技術分野】
【０００１】
本発明は蒸気排出ユニットに係り、特に炊飯器や電気保温ポットなどを収納する収納棚内の蒸気の排出を促進するために用いられる蒸気排出ユニットに関する。
【背景技術】
【０００２】
従来、収納棚に収納された炊飯器、電気保温ポットあるいはコーヒーメーカーなどの電気器具の加熱時に発生する蒸気を外部に排出するために、収納棚に蒸気排出ユニットを組み込んでいる。
【０００３】
このような従来の蒸気排出ユニットにおいて、蒸気排出ユニットの天井の薄段部に設けられた第１の蒸気吸込口の下方には比較的背の高い電気保温ポットを収納し、厚段部に設けられた第２の蒸気吸込口の下方には比較的背の低い炊飯器を収納する。さらに、厚段部の内部にはファンモータが収容される（特許文献１）。
【０００４】
しかしながら、このような特許文献１に記載の蒸気排出ユニットは、背の高い電気保温ポットは、薄段部の下方に、背の低い炊飯器あるいはコーヒーメーカーは厚段部の下方に収容する必要があり、使用上制約を受けて不便であり、また、薄段部と厚段部の境界域には蒸気吸込口を設けていないので、電気保温ポット、炊飯器あるいはコーヒーメーカー等の電気器具によって蒸気吹出口の位置が異なり、また同じ電気器具の位置が多種多様であり、電気器具が上記境界域の下方に収容された場合、この電気器具から発生する蒸気を収納棚から確実に排出できないおそれがあり、改良の余地があった。
【特許文献１】特開２００２−８１７１０号公報
【発明の開示】
【発明が解決しようとする課題】
【０００５】
本発明は上述した事情を考慮してなされたもので、背の高い電気保温ポット等であっても収納位置が制約されることがなく、また、収納棚の中央部付近に電気保温ポット、炊飯器等を収容しても蒸気排出が確実に行えて、収容位置に制約がなく、使い勝手がよい蒸気排出ユニット付収納棚を実現させる蒸気排出ユニットを提供することを目的とする。
【課題を解決するための手段】
【０００６】
上述した目的を達成するため、本発明に係る蒸気排出ユニットは、蒸気吸込口と蒸気排気口が設けられ、かつユニット本体の内部に設けられ前記蒸気吸込口と前記蒸気排気口を連通するダクトと、このダクトに設けられた吸排気用の送風機とを備えた蒸気排出ユニットにおいて、前記ユニット本体の底部には、この底部の略々全域に渡って凹状空間部が設けられ、前記凹状空間部には、前記ダクトに設けられた複数の吸込口に対向し、凹部が形成されるように平面状の蒸気分散板が内装され、この蒸気分散板の周囲及び少なくとも前記凹状空間部中央近傍には、前記蒸気吸込口が設けられることを特徴とする。
【発明の効果】
【０００７】
本発明に係る蒸気排出ユニットによれば、電気器具から発生する蒸気を確実に排出でき、使い勝手がよい蒸気排出ユニット付収納棚を実現させる蒸気排出ユニットを提供することができる。
【発明を実施するための最良の形態】
【０００８】
本発明に係る一実施形態の蒸気排出ユニットについて添付図面を参照して説明する。
【０００９】
図１は本発明に係る蒸気排出ユニットを組み込んだ収納棚の正面図、図２は本発明に係る蒸気排出ユニットの斜視図、図３は本発明に係る蒸気排出ユニットの下面図であり、図４はその斜視図であり、図５は本発明に係る蒸気排出ユニットの縦断面図である。
【００１０】
図１に示すように、本発明に係る蒸気排出ユニット１は、炊飯器、電気保温ポットあるいはコーヒーメーカーなどの電気器具が収容される収納棚２１の天井が開放された収納部２２内の天井に配置されて使用される。
【００１１】
図２乃至図５に示すように、蒸気排出ユニット１は扁平直方体状のユニット本体２を備え、このユニット本体２の底部２ａに設けられた蒸気吸込口３と、ユニット本体２の外周側面に設けられた蒸気排気口４を備え、さらに、底部２ａにはこの底部２ａの略々全域に渡って凹状空間部５を設けている。
【００１２】
この凹状空間部５は略々正方形状の第１空間部５Ａと、この第１空間部５Ａと仕切部５ａによって仕切られた長方形状の第２空間部５Ｂからなり、第１空間部５Ａと第２空間部５Ｂには、第１底面開口６Ａ、第２底面開口６Ｂより各々小さく相似形で平板状の第１蒸気分散板７Ａ、第２蒸気分散板７Ｂが第１空間部５Ａと第２空間部５Ｂに空間Ｓが形成され、仕切部５ａと同一高さになるように、底部２ａよりユニット本体内に位置した状態で装着される。
【００１３】
第１底面開口６Ａの内周と第１蒸気分散板７Ａの外周間には、略々正方形環状の第１蒸気吸込口３Ａが形成され、第２底面開口６Ｂの内周と第２蒸気分散板７Ｂの外周間には略々長方形環状の第２蒸気吸込口３Ｂが形成され、両蒸気吸込口３Ａ、３Ｂで蒸気吸込口３を構成する。
【００１４】
仕切部５ａ近傍すなわち凹状空間部５の中央近傍には、仕切部５ａを挟むようにして第１底面開口６Ａの一部と第２底面開口６Ｂの一部が開口する。
【００１５】
図５及び図６に示すように、凹状空間部５の上方には、第１吸込口８ａ及び第２吸込口８ｂを備えた略々三角形状のダクト８が設けられ、第１吸込口８ａ及び第２吸込口８ｂの下面には、通気路９Ａ、９Ｂが形成されるように空隙を設けて上記の第１蒸気分散板７Ａ、第２蒸気分散板７Ｂが配置される。また、ダクト８内には、ダクト８を介して蒸気吸込口３から蒸気を吸い込み、蒸気排気口４から蒸気を排出する吸排気用の送風機１０が設けられている。
【００１６】
第１空間部５Ａすなわち送風機１０からより離れた第１吸込口８ａの開口面積は、第２吸込口８ｂすなわち送風機１０により近い第２吸込口８ｂの開口面積より大きくなっている。これにより、蒸気が両吸込口８ａ、８ｂから均一に吸い込まれ、収納棚２１内の蒸気が確実に排気される。
【００１７】
第１蒸気分散板７Ａ及び第２蒸気分散板７Ｂの第１底面開口６Ａ及び第２底面開口６Ｂの中心部に対向する位置には、送風機１０を制御するために蒸気温度を検知する温度センサー１１Ａ、１１Ｂが設けられ、この温度センサー１１Ａ、１１Ｂで検出された温度情報信号に基づき制御回路１２を介して送風機１０を制御する。
【００１８】
図７及び図８に示すように、ダクト８にはファンケーシング部１３が設けられ、このファンケーシング部１３にはケーシング部吸込口１３ａが設けられ、さらに、蒸気排気口４に連通される。また、裏面にファンケーシング部１３の一部が延びる第２底面開口６Ｂの内周には、第２底面開口６Ｂに連通する直方体形状の段状空間部６Ｂ１が設けられる。これにより、第２底面開口６Ｂの面積を狭めても、第２底面開口６Ｂによる蒸気溜の容量をアップできる。
【００１９】
さらに、ファンケーシング部１３に送風機１０が内装され、この送風機１０は遠心式ファン１０ａであるシロッコファンであり、遠心式ファン１０ａにはモータ１０ｂが内装される。これにより、送風機１０の奥行を小さくして、蒸気排出ユニット１の厚みを薄くすることが可能となる。さらに、ファンケーシング部１３の形状及び送風機１０の配置は、この送風機１０から吹き出される蒸気の流れと平行でケーシング部吹込口１３ｂの開口端部１３ｂ１と接する遠心式ファン１０ａの接線Ｌが、蒸気排気口４の開口端部４ａの内側の位置に突き当たるように設定される。
【００２０】
また、開口端部４ａ近傍のファンケーシング部１３の下面には、ドレン溜め凹部１３ｃが設けられる。これにより、開口端部４ａ近傍で凝縮する凝縮水を溜めることができる。
【００２１】
本発明に係る蒸気排出ユニットは、図１に示すように、収納棚２１上に載置されて使用され、例えば、第１空間部５Ａの下方に炊飯器、第２空間部５Ｂの下方に電気保温ポットが位置するように電気器具が収納棚２１の収納部２２に収納される。
【００２２】
このとき、第１蒸気分散板７Ａ及び第２蒸気分散板７Ｂからなる蒸気分散板７は平板状であり、内部に突出していないので、収納部２２の背丈を高くすることができ、収納する電気器具の背丈の高さによって、収納位置が制約されることがなく、使い勝手が向上する。
【００２３】
電気器具の電源が入れられ、電気器具から蒸気が発生すると、温度センサー１１Ａ、１１Ｂにより蒸気温度が検知され、制御回路１２を介して送風機１０の遠心式ファン１０ａが回転される。蒸気温度を検知して遠心式ファン１０ａを回転させることにより、電気器具の通電と同時に遠心式ファン１０ａを回転させるものとは異なり、節電になる。
【００２４】
遠心式ファン１０ａの回転に伴い、電気器具から発生した蒸気は、第１蒸気吸込口３Ａ、第２蒸気吸込口３Ｂから吸い込まれ、さらに、通気路９Ａ、９Ｂ、第１吸込口８ａ、第２吸込口８ｂを介してダクト８に吸い込まれ、ケーシング部吸込口１３a、ファンケーシング部１３を介して蒸気排気口４からユニット本体２外に排出される。
【００２５】
上記蒸気の排気過程において、電気器具から発生した蒸気は、凹状空間５の空間Ｓに一旦溜められた状態の後、第１蒸気分散板７Ａ、第２蒸気分散板７Ｂに沿って第１蒸気吸込口３Ａ、第２蒸気吸込口３Ｂに吸い込むようにしてあるので、収納部２２に溜まる蒸気を確実に排気することができる。
【００２６】
また、仕切部５ａ近傍すなわち凹状空間部５の中央近傍には、第１底面開口６Ａの一部と第２底面開口６Ｂの一部が開口するので、電気器具が収納部２２の中央部に収納され、中央部で蒸気が発生する場合にも、中央近傍の蒸気吸込口３Ａ、３Ｂから確実かつ速やかに排気される。
【００２７】
さらに、送風機１０から吹き出される蒸気の流れと平行でケーシング部吹込口１３ｂの開口端部１３ｂ１と接する遠心式ファン１０ａの接線は、蒸気排気口４の開口端部４ａの内側の位置に突き当たるので、蒸気が正面に排気するのを防ぎ、使用者に不快感を与えない。さらに、蒸気の開口端部４ａの内側への衝突により、蒸気は凝縮して凝縮水となるが、このドレン水はドレン溜め凹部１３ｃに溜められ、飛散することなく衛生的である。
【００２８】
なお、本実施形態では、図３に示すように、２枚の蒸気分散板７Ａ、７Ｂを用い、この蒸気分散板７Ａ、７Ｂを仕切部５ａで仕切り、蒸気分散板７Ａ、７Ｂの外周に蒸気吸込口３Ａ、３Ｂを設けるようにしたが、図９に示すように、蒸気分散板７を１枚とし、この蒸気分散板７の中央近傍すなわち凹状空間５の中央近傍に蒸気吸込口３１を設けるようにしても、本発明の効果が得られる。また、本実施形態では、蒸気吸込口３Ａ、３Ｂを略々長方形環状に形成した例で説明したが、多数の小さな開口を不連続に長方形環状に形成してもよい。
【００２９】
上記実施形態の蒸気排出ユニットによれば、背の高い電気保温ポット等であっても収納位置が制約されることがなく、また、収納棚の中央部付近に電気保温ポット、炊飯器等を収容しても蒸気排出が確実に行えて、収容位置に制約がなく、使い勝手がよい蒸気排出ユニット付収納棚を実現させる蒸気排出ユニットを提供することができる。
【図面の簡単な説明】
【００３０】
【図１】本発明に係る蒸気排出ユニットを組み込んだ収納棚の正面図。
【図２】本発明に係る蒸気排出ユニットの斜視図。
【図３】本発明に係る蒸気排出ユニットの下面図。
【図４】本発明に係る蒸気排出ユニットの斜視図。
【図５】本発明に係る蒸気排出ユニットの幅方向の縦断面図。
【図６】本発明に係る蒸気排出ユニットの上板を除去して示す上面図。
【図７】本発明に係る蒸気排出ユニットのダクトを除去して示す上面図。
【図８】本発明に係る蒸気排出ユニットの奥行方向の縦断面図。
【図９】本発明の他の実施形態に係る蒸気排出ユニットの下面図。
【符号の説明】
【００３１】
１  蒸気排出ユニット
２  ユニット本体
２ａ  底部
３  蒸気吸込口
３Ａ  第１蒸気吸込口
３Ｂ  第２蒸気吸込口
４  蒸気排気口
４ａ  開口端部
５  凹状空間
５ａ  仕切部
５Ａ  第１空間部
５Ｂ  第２空間部
６Ａ  第１底面開口
６Ｂ  第２底面開口
６Ｂ１  段状空間
７Ａ  第１蒸気分散板
７Ｂ  第２蒸気分散板
８  ダクト
８ａ  第１吸込口
８ｂ  第２吸込口
９Ａ、９Ｂ  通気路
１０  送風機
１０ａ  遠心式ファン
１０ｂ  モータ
１１Ａ、１１Ｂ  温度センサー
１２  制御回路
１３  ファンケーシング部
１３a  ケーシング部吸込口
１３ｂ  ケーシング部吹込口
１３ｂ１  開口端部
１３ｃ  ドレン溜め凹部
Ｓ  空間
【図１】
2007195764.tif 000003
【図２】
2007195764.tif 000004
【図３】
2007195764.tif 000005
【図４】
2007195764.tif 000006
【図５】
2007195764.tif 000007
【図６】
2007195764.tif 000008
【図７】
2007195764.tif 000009
【図８】
2007195764.tif 000010
【図９】
2007195764.tif 000011